(57)【要約】【課題】  人々をより楽しくさせる装飾繊維シートを提供すること。【解決手段】  本発明の装飾繊維シートは、繊維シートに、面状にプリントされた第１単位を繰り返し有する装飾繊維シートであり、隣接する第１単位間に、第１単位とは異なる状態にプリント、又はプリントされていない、第１単位と同じ外縁形状かつ同じ大きさの第２単位を有し、第１単位１つ以上と第２単位１つ以上との組合せが、第１単位の外縁形状と同じ外縁形状を有するようにプリントされている。本発明の装飾繊維シートは自動車用内装材の表皮材として好適に使用できる。【選択図】        図１
2016035126.tif 000002
【特許請求の範囲】
【請求項１】
繊維シートに、面状にプリントされた第１単位を繰り返し有する装飾繊維シートであり、隣接する第１単位間に、第１単位とは異なる状態にプリント、又はプリントされていない、第１単位と同じ外縁形状かつ同じ大きさの第２単位を有し、第１単位１つ以上と第２単位１つ以上との組合せが、第１単位の外縁形状と同じ外縁形状を有するようにプリントされていることを特徴とする、装飾繊維シート。
【請求項２】
自動車用内装材の表皮材として使用することを特徴とする、請求項１記載の装飾繊維シート。
【発明の詳細な説明】
【技術分野】
【０００１】
本発明は装飾繊維シートに関し、特には、自動車における、天井、ドアサイド、ピラーガーニッシュ、リヤパッケージなどの内装材の表皮材として好適に使用できる装飾繊維シートに関する。
【背景技術】
【０００２】
近年、燃費向上のために自動車の軽量化、小型化が進行し、自動車室内が狭くなる傾向があるが、搭乗者が自動車室内において快適に過ごすことができるように、自動車室内を広く感じることが望まれていたため、本願出願人は様々な提案をした。
【０００３】
例えば、繊維シートに対して、ある方向におけるプリント面積が変化するようにプリントすることにより、視覚上、広々とした印象をもつことができるようにしたもの（特許文献１）、着色した繊維シートに、繊維シートよりも明度の高いプリントを施すことによって、明度が高いプリントは膨張して見えるという、心理的効果を利用したもの（特許文献２）、繊維シートに対して、明度が変化するように、プリント単位を繰り返しプリントすることによって、明度の変化による陰影を利用して立体感を付与することにより、奥行き感を付与したもの（特許文献３）、繊維シートに、明度の異なる少なくとも２種類のプリントを施し、明度差が２以上である隣接する領域を有するようにすることにより、立体的で、自動車室内を広く感じるようにしたもの（特許文献４）、を提案した。
【０００４】
【特許文献１】特開２０１２−１７９９８５号公報
【特許文献２】特開２０１２−２０１１７２号公報
【特許文献３】特開２０１３−１９４３４８号公報
【特許文献４】特開２０１４−０５１２６８号公報
【発明の開示】
【発明が解決しようとする課題】
【０００５】
これらのように、繊維シートに対してプリントを施すことにより、立体感を付与するなどして、自動車室内を広く感じるようにし、圧迫感を低減させていたが、今ひとつ楽しさがなく、楽しいはずのドライブがつまらない場合があった。
【０００６】
このような現象は自動車室内に限ったことではなく、オフィスにおける壁に、前述のような装飾繊維シートを適用した場合のように、意匠性を付与するために適用しても、今ひとつ楽しさの足りないものであった。
【０００７】
本発明はこのような状況下においてなされたものであり、人々をより楽しくさせる装飾繊維シートを提供することを目的とする。
【課題を解決するための手段】
【０００８】
本発明の請求項１にかかる発明は、「繊維シートに、面状にプリントされた第１単位を繰り返し有する装飾繊維シートであり、隣接する第１単位間に、第１単位とは異なる状態にプリント、又はプリントされていない、第１単位と同じ外縁形状かつ同じ大きさの第２単位を有し、第１単位１つ以上と第２単位１つ以上との組合せが、第１単位の外縁形状と同じ外縁形状を有するようにプリントされていることを特徴とする、装飾繊維シート。」である。
【０００９】
本発明の請求項２にかかる発明は、「自動車用内装材の表皮材として使用することを特徴とする、請求項１記載の装飾繊維シート。」である。
【発明の効果】
【００１０】
本発明の請求項１にかかる発明は、繊維シートに対して、第１単位１つ以上と第２単位１つ以上との組合せが、第１単位の外縁形状と同じ外縁形状を有するようにプリントされていることによって、第１単位と外縁形状が同じである、大小様々な大きさの模様が発現するため、立体感に加えて、今までにない楽しさを提供できる装飾繊維シートである。
【００１１】
本発明の請求項２にかかる発明は、前記装飾繊維シートを自動車用内装材の表皮材として使用するため、立体感に優れるとともに、今までにない楽しいドライブを提供できる装飾繊維シートである。
【図面の簡単な説明】
【００１２】
【図１】本発明の装飾繊維シートのプリント面における正面図
【発明を実施するための最良の形態】
【００１３】
本発明の装飾繊維シートは繊維シートにプリントが施されているため、装飾性に優れている。通常、繊維は白色を有するため、繊維シートは白色であっても良いが、繊維シートは白色以外の色に着色されていても良い。着色されている場合、繊維自体が顔料及び／又は染料を含有する原着繊維を用いて繊維シートを形成したものであっても良いし、繊維シートを形成した後に、顔料及び／又は染料で着色したものであっても良いし、或いはこれらを併用したものであっても良い。
【００１４】
また、繊維シートの態様は特に限定するものではないが、例えば、不織布、織物、編物であることができる。これらの中でも成形性に優れている不織布が好適である。特に、自動車用内装材の表皮材として使用する場合には、成形する必要があるため、不織布であるのが好ましい。
【００１５】
繊維シートを構成する繊維を構成する樹脂は特に限定するものではないが、例えば、ポリエステル、ナイロン、塩化ビニル、アクリル、ポリプロピレンなどを挙げることができる。これらの中でもポリエステルは耐熱性、耐候性、防汚性等に優れているため好適である。また、装飾繊維シートに成形性が必要とされる場合、エンボス加工を施す場合、或いは強度を必要とする場合には、繊維として、融点が異なる２成分以上の樹脂からなり、繊維断面がサイドバイサイド型、芯鞘型、偏心型で、低融点の樹脂が繊維表面に露出した複合繊維を含むのが好ましい。
【００１６】
なお、繊維の繊度は特に限定するものではないが、１〜６ｄｔｅｘであるのが好ましく、１．５〜６ｄｔｅｘであるのがより好ましい。また、繊維の繊維長も特に限定するものではないが、３０〜１１０ｍｍであるのが好ましく、５０〜８０ｍｍであるのがより好ましい。
【００１７】
本発明の繊維シートは、樹脂成分の種類及び／又は数、繊度、繊維長などの点で相違する２種類以上の繊維を含むことができる。また、原着繊維と非原着繊維とを含むこともできる。更には、顔料又は染料の色、種類及び／又は量の点で異なる原着繊維を２種類以上含むこともできる。
【００１８】
繊維シートが好適である不織布である場合、例えば、ニードルパンチ不織布、繊維接着不織布、水流絡合不織布、バインダ接着不織布であることができる。なお、ニードルパンチ、繊維接着、水流絡合、及び／又はバインダ接着を適宜組み合わせた不織布とすることもできる。例えば、ニードルパンチ不織布に対してバインダを含浸、コーティング、又はスプレーし、接着することによって、不織布表面を平滑とし、プリントの載りを良くすることができる。
【００１９】
本発明の装飾繊維シートは上述のような繊維シートに、面状にプリントされた第１単位を繰り返し有し、隣接する第１単位間に、第１単位とは異なる状態にプリント、又はプリントされていない、第１単位と同じ外縁形状かつ同じ大きさの第２単位を有し、第１単位１つ以上と第２単位１つ以上との組合せが、第１単位の外縁形状と同じ外縁形状を有するようにプリントされている。このように、第１単位１つ以上と第２単位１つ以上との組合せが、第１単位の外縁形状と同じ外縁形状を有するようにプリントされていることによって、第１単位と外縁形状が同じである、大小様々な大きさの模様が発現するため、立体感に加えて、今までにない楽しさを提供できる装飾繊維シートである。
【００２０】
本発明の装飾繊維シートについて、本発明の装飾繊維シートのプリント面における正面図を表す図１をもとに説明する。
【００２１】
図１は着色された繊維シート上に、正三角形状にプリントされた第１単位（Ｕ１）を繰り返し有し、隣接する第１単位（Ｕ１）の間に、右肩下がり状の直線を複数本有するようにプリントされた、６０°回転しているものの、第１単位（Ｕ１）と同様に正三角形状、かつ同じ大きさを有する第２単位（Ｕ２）を有する。そして、例えば、（１）前記第１単位（Ｕ１）３つと第２単位（Ｕ２）１つとの組合せで、つまり、１つの第２単位（Ｕ２）を３つの第１単位（Ｕ１）で取り囲み、第１単位（Ｕ１）の外縁形状である正三角形と同じ外縁形状である正三角形を有する（図１におけるＡ）、（２）前記第１単位（Ｕ１）６つと第２単位（Ｕ２）３つとの組合せで、つまり、それぞれの第２単位（Ｕ２）を３つの第１単位（Ｕ１）で取り囲み、第１単位（Ｕ１）の外縁形状である正三角形と同じ外縁形状である正三角形を有する（図１におけるＢ）、ようにプリントされている。
【００２２】
このように、第１単位（Ｕ１）１つ以上と第２単位（Ｕ２）１つ以上との組合せによって、第１単位の外縁形状と同じである、大小様々な大きさの正三角形の模様を、無数発現することができるため、立体感に加えて、今までにない楽しさを提供できる装飾繊維シートである。
【００２３】
図１においては、第１単位（Ｕ１）、第２単位（Ｕ２）ともに正三角形状であるが、前記条件を満たす限り、正三角形である必要はない。例えば、二等辺三角形であっても、同様に作用し、立体感に加えて、今までにない楽しさを提供できる。このように、本発明においては、第１単位（Ｕ１）は面状にプリントされているが、「面状」とは面積を有するようにプリントされていることを意味し、線状ではないことを意味する。
【００２４】
また、図１においては、第２単位（Ｕ２）として、右肩下がり状の直線を複数本有するようにプリントされているが、右肩上がり状であるような直線であるなど、右肩下がり状以外の直線であっても良いし、複数本である必要はない。また、点状にプリントされていても良いし、曲線が１本又は２本以上がプリントされていても良いし、直線等のプリントが施されておらず、繊維シート表面が露出した状態にあるように、面状にプリントされていなければ、第１単位（Ｕ１）と異なる状態にある。なお、色相、明度及び／又は彩度が第１単位（Ｕ１）とは異なるように面状にプリントされていても、第１単位（Ｕ１）と異なる状態にある。更に、これら２点以上の点で異なるようにプリントされていても、第１単位（Ｕ１）と異なる状態にある。
【００２５】
特に、第２単位（Ｕ２）が第１単位（Ｕ１）とは明度が異なるようにプリント、又はプリントされていないと、各単位の輪郭を強調できて、柄が見えやすく、立体感に優れているため、好適である。この場合、第１単位（Ｕ１）と第２単位（Ｕ２）との明度差は特に限定するものではないが、０．５以上であるのが好ましく、１．０以上であるのが好ましい。この「明度」は、ＣＩＥ１９７６Ｌ＊ａ＊ｂ＊表色系で表される明度であり、具体的には、積分球分光光度計（エックスライト（株）製、Ｃｏｌｏｒ  ｉ５）を用い、反射測定径２５ｍｍの測定範囲で測定して算出することができる。
【００２６】
なお、本発明における「第１単位と同じ外縁形状かつ同じ大きさ」とは、図１において、第２単位（Ｕ２）は、第１単位（Ｕ１）を６０°回転させたものと同じ外縁形状かつ同じ大きさであるように、第１単位（Ｕ１）と第２単位（Ｕ２）とが合同であることを意味する。また、「第１単位１つ以上と第２単位１つ以上との組合せが、第１単位の外縁形状と同じ外縁形状を有する」とは、第１単位１つ以上と第２単位１つ以上とを組合せた外縁形状が、第１単位の外縁形状と相似であることを意味する。
【００２７】
このような本発明の装飾繊維シートは、例えば、繊維シートを用意した後、前述のような模様をプリントすることによって製造できる。
【００２８】
例えば、前記模様に対応する開口を有するシリンダを用意し、このシリンダを通して顔料を含む樹脂をプリントすることによって、本発明の装飾繊維シートを得ることができる。なお、第１単位にプリントする樹脂と第２単位にプリントする樹脂とが異なる場合には、第１単位にプリントする樹脂のプリントと、第２単位にプリントする樹脂のプリントとを、別々のシリンダを用いて実施すれば良い。
【００２９】
なお、図１のような模様を有する装飾繊維シートを、模様に対応する開口を有する１つのシリンダを用いて製造しようとしても、シリンダ自体を形成できないため、図１のような模様を有する装飾繊維シートを製造できないが、第１単位の模様に対応するように、点状に多数の開口を有するシリンダを用いれば、シリンダの開口を樹脂が通過した後に、若干、樹脂が広がるため、図１のような模様を有する装飾繊維シートを製造することができる。
【００３０】
また、樹脂としては、アクリル樹脂、ポリエステル樹脂、ポリウレタン樹脂などを使用することができ、顔料の色、種類及び量は適宜調整することができる。また、プリント方法はシリンダを使用する方法に限定されず、例えば、グラビア印刷、凸版印刷、オフセット印刷、スクリーン印刷などにより実施することができ、特に限定するものではない。
【００３１】
本発明の装飾繊維シートは上述のように、繊維シートにプリントが施されたものであるが、プリントに加えてエンボス加工が施されていても良い。エンボス加工が施されていることによって、更にユニークな模様とし、今までにない楽しさを提供できる場合がある。このエンボス模様は特に限定するものではないが、例えば、皮しぼ模様、梨地模様、或いは円、四角形などの所定形状のドットを規則的又は不規則に配置した模様であることができる。
【００３２】
このような本発明の装飾繊維シートは、立体感以外に、今までにない楽しさを提供できるため、自動車用内装材の表皮材、パーティションの表皮材、又は壁紙として好適に使用でき、特には、天井、ドアーサイド、ピラーガーニッシュ、リヤパッケージなどの自動車用内装材の表皮材として使用すれば、楽しく、快適なドライブを提供できる。
【実施例】
【００３３】
以下に、本発明の実施例を記載するが、本発明は以下の実施例に限定されるものではない。
【００３４】
（実施例１）
原着ポリエステル繊維（繊度：２．２ｄｔｅｘ、繊維長：５１ｍｍ）を１００％用いて、カード機により開繊して繊維ウエブを形成した後、片面から針密度４００本／ｍ２でニードルパンチ処理を行い、ニードルパンチ不織布（目付：１９０ｇ／ｍ２、厚さ：１．５ｍｍ）を製造した。
【００３５】
他方、次の割合で配合したバインダ溶液を調製した。
（１）アクリルバインダ［ボンコート（登録商標）  Ｅ−２４０Ｎ、ＤＩＣ社製］・・・６重量部
（２）増粘剤［ネオゲン（登録商標）Ｓ−２０Ｄ、第一工業製薬社製］・・・０．２重量部
（３）界面活性剤［セロゲン（登録商標）ＷＳ−Ｃ、第一工業製薬社製］・・・０．２重量部
（４）アンモニア水・・・０．１重量部
（５）水・・・９３.５重量部
【００３６】
次いで、前記バインダ溶液を泡立てた後、前記ニードルパンチ不織布のニードリング面とは反対の面から塗布し、含浸させた後に、温度１３０℃のキャンドライヤーで乾燥し、外観がグレー色のバインダ接着不織布（目付：２００ｇ／ｍ２、厚さ：１．５ｍｍ）を製造した。
【００３７】
また、別途、次の割合で配合したプリント液を調製した。
（１）増粘剤［カーボポール（登録商標）９４０、日本ルーブリゾール（株）製］・・・２８部
（２）消泡剤［シンエツ（登録商標）シリコーンＫＭ−７３、信越化学工業（株）製］・・・０．５部
（３）アクリルバインダ［ボンコート（登録商標）３２１８ＥＦ、ＤＩＣ（株）製］・・・２０部
（４）黒顔料［Ｒ.Ｗ.ＢＬＡＣＫ ＲＣ（Ｖ）、ＤＩＣ（株）製］・・・２．５部
（５）２５％アンモニア水（大盛化工株式会社製）：１．０部
（６）増粘剤［ニカゾール（登録商標） ＶＴ−２５３、日本カーバイド工業（株）製］・・・１．０部
（７）水・・・４７部
【００３８】
そして、前記バインダ接着不織布のバインダ付着面に対して、シリンダを用いて前記プリント液をプリントして、図１のような、外縁形状が正三角形（一辺：５ｍｍ）の面状にプリントされた、濃いグレーの第１単位（Ｕ１）を直線状に繰り返し有し、隣接する第１単位（Ｕ１）の間に、ドット状にプリントされた、外縁形状が正三角形（一辺：５ｍｍ）で、淡いグレーの第２単位（Ｕ２）を有し、各々の第２単位（Ｕ２）の三辺を３つの第１単位（Ｕ１）で取り囲み、外縁形状が正三角形（一辺：１５ｍｍ）である第１単位（Ｕ１）と第２単位（Ｕ２）との組合せを、無数に有するようにプリントした後、温度１６０℃のドライヤーで乾燥し、装飾不織布を製造した。この装飾不織布は、大小様々な大きさの正三角形模様が発現するため、立体感に加えて、今までにない楽しさを有するものであった。
【産業上の利用可能性】
【００３９】
本発明の装飾繊維シートは立体感以外に、今までにない楽しさを提供できるため、自動車用内装材の表皮材、パーティションの表皮材、又は壁紙として好適に使用でき、特には、天井、ドアーサイド、ピラーガーニッシュ、リヤパッケージなどの自動車用内装材の表皮材として好適に使用できる。
【符号の説明】
【００４０】
Ｕ１  第１単位
Ｕ２  第２単位
Ａ  第１単位の外縁形状と同じ外縁形状を有する組合せの一例
Ｂ  第１単位の外縁形状と同じ外縁形状を有する組合せの他例
【図１】
2016035126.tif 000003